(57)【要約】【課題】一列配置の差動プッシュプル法を組み合わせてランニングＯＰＣを採用する光ディスク記録装置の光学ヘッド発光出力制御方法を提供することを課題とする。【解決手段】レーザー光を回折して形成される３ビームの先行及び後行サブビームの所定の一部にπ／２ラジアンの整数倍の位相シフトを発生させる位相シフト領域２ｂを備える回折格子２と、ディスクの信号トラックの投影方向に少なくとも２分割されて前記３ビームの各反射光ビームを受光する各受光部を備える光検出器８とを光学ヘッドに設け、３ビームをディスクの同一信号トラック上に一列に配置した状態で差動プッシュプル法に基づくトラッキング制御方式に対応させると共に、後行サブビームをメインビームがオントラックされる信号トラックと同一トラックにオントラックさせ、後行サブビームの反射光ビームを受光する受光部から出力される受光出力によりディスクに記録されるデータ信号を検出する。【選択図】図１
2006236531.tif 000002
【特許請求の範囲】
【請求項１】
レーザー光源から出射されるレーザー光を回折格子により回折して光学ヘッドからディスクにメインビーム、先行及び後行サブビームの少なくとも３ビームを照射し、メインビームによりディスクにデータ信号を記録する際に同時に後行サブビームが受光される光検出器の受光部から出力される受光出力によりディスクに記録されるデータ信号を検出し、このデータ信号を用いて記録状態を検出し、この記録状態に応じて光学ヘッドの発光出力を制御する光ディスク記録装置の光学ヘッド発光出力制御方法であって、前記回折格子は前記先行及び後行サブビームの所定の一部にπ／２ラジアンの整数倍の位相シフトを発生させる位相シフト領域を備え、前記光検出器は前記３ビームのディスクからの各反射光ビームをそれぞれ受光すると共に、信号トラックの投影方向に少なくとも２分割される各受光部を備え、前記先行及び後行サブビームの各受光部に受光される各受光スポットの一部に前記位相シフト領域による位相シフトを付与することにより前記３ビームをディスクの同一信号トラック上に一列に配置した状態で光検出器の各受光部の各受光領域からの各受光出力を用いて差動プッシュプル法に基づくトラッキングエラー信号が生成可能なトラッキング制御方式に対応させると共に、後行サブビームをメインビームがオントラックされる信号トラックと同一トラックにオントラックさせ、前記後行サブビームの反射光ビームを受光する受光部から出力される受光出力によりディスクに記録されるデータ信号を検出することを特徴とする光ディスク記録装置の光学ヘッド発光出力制御方法。
【請求項２】
後行サブビームが受光される後行サブ受光部の２分割された各受光領域からそれぞれ出力される各受光出力を合算した加算受光出力によりディスクに記録されるデータ信号を検出することを特徴とする請求項１記載の光ディスク記録装置の光学ヘッド発光出力制御方法。
【請求項３】
記録レベル及び再生レベルを組み合わせたマルチパルス波形の駆動パルスによりレーザードライバが駆動されて光学ヘッドから出射されるメインビームによりディスクへの記録が行われ、このディスク記録時において、記録レベル及び再生レベルのどちらか一方の期間に後行サブビームが受光される後行サブ受光部の２分割された各受光領域からそれぞれ出力される各受光出力を合算した加算受光出力によりディスクに記録されるデータ信号をサンプルし、このサンプルしたデータ信号を用いてβ値を検出したことを特徴とする請求項１記載の光ディスク記録装置の光学ヘッド発光出力制御方法。
【発明の詳細な説明】
【技術分野】
【０００１】
本発明は、レーザー光源から出射されるレーザー光を回折格子により回折して光学ヘッドからディスクにメインビーム、先行及び後行サブビームの３ビームを照射し、メインビームによりディスクにデータ信号を記録する際に同時に後行サブビームが受光される光検出器の受光部から出力される受光出力によりディスクに記録されるデータ信号を検出し、このデータ信号を用いて記録状態を検出し、この記録状態に応じて光学ヘッドの発光出力を制御する光ディスク記録装置の光学ヘッド発光出力制御方法に関する。
【背景技術】
【０００２】
ＣＤ（Compact Disc）やＤＶＤ(Digital Versatile Disc)のＲ（Recordable）やＲＷ(ReWritable)の記録可能な光ディスク記録装置においては、光学ヘッドからディスクに出射されるレーザー光をディスクの信号トラックに追従させるトラッキング制御方式として差動プッシュプル法が採用されている。この差動プッシュプル法は、対物レンズがシフトした場合にトラッキングエラー信号のオフセットが発生しない利点がある（例えば、特許文献１参照）。
【０００３】
この差動プッシュプル法に対応する光学ヘッドは、レーザー光源から出射されるレーザー光を回折格子により回折して、０次回折光のメインビームの他に±１次回折光のサブビームを形成して３ビームとし、これら３ビームのディスクからの各反射光ビームを光検出器の各受光部にそれぞれ受光する構成となっている。
【０００４】
トラッキングエラー信号生成回路は光検出器の各受光部ごとにメインビーム、先行及び後行サブビームに対応する各プッシュプル信号を生成し、メインビームに対応するメインプッシュプル信号と２つの各サブビームに対応する各サブプッシュプル信号を加算した加算サブプッシュプル信号とを同等の信号レベルに調整した後、これらの信号の差分を演算して差動プッシュプル法に基づくトラッキングエラー信号を生成する。
【０００５】
ところで、光ディスク記録装置により記録されるディスクは、メーカーや速度対応グレードにより使用する材質が相違し、それにより記録感度が相違したり、あるいは個体差により記録感度が相違する。その為、光ディスク記録装置においては、記録時に光学ヘッドから出射される発光出力がそれらの記録感度差を補償するべく制御され、光学ヘッドの発光出力がディスクの記録に最適な記録レベルに設定される。
【０００６】
この光学ヘッドの発光出力の設定は、記録開始時において、ディスクにおける実際のデータ信号を記録するプログラムエリアとは別に設けられた発光出力設定用のキャリブレーションエリア（ＰＣＡ）に発光出力を段階的に変化させてテスト信号を試し書きし、そのテスト信号を光学ヘッドにより読み取って再生されるＲＦ（radio frequency）信号からオフセットを除去したプラス側及びマイナス側のそれぞれの振幅値Ａ及びＢを用いてβ値（記録の深さ）＝（Ａ−Ｂ）／（Ａ＋Ｂ）を検出して行われる。
【０００７】
また、同一ディスク内でもムラにより記録部位で記録感度が相違したり、温度や湿度などの記録環境の変化によってディスク記録の動作中に光学ヘッドの発光出力がディスクの記録に最適な記録レベルから外れることが発生する。その為、ディスク記録の動作中においては、記録パルスの反射レベルを検出したり、あるいは記録に用いる光ビームより時間的に手前に位置する別の光ビームによりディスクに記録された記録マークを検出して、光学ヘッドの発光出力を最適記録レベルに制御する、いわゆるランニングＯＰＣ（Optimum Power Control）を行うことが要求される場合がある。
【０００８】
差動プッシュプル法のトラッキング制御方式を採用し、ランニングＯＰＣを行うようにした光ディスク記録装置は、特許文献２に示されている。
【０００９】
この光ディスク記録装置は、光学ヘッドから出射される±１次回折光の各サブビームがディスクに照射されて形成される各サブスポットを、０次回折光のメインビームが信号トラック（Groove）上の中央（オントラック）にあるときにディスクの信号トラック（Groove）と信号トラック間（Land）とにそれぞれ半分ずつ配置されるようにしている。これにより差動プッシュプル法のトラッキング制御方式を採用可能としながら、後行サブビームによりメインビームで記録されたデータ信号を読み取れるようにし、この読み取ったデータ信号によりβ値の検出が行えるようになっている。
【００１０】
ところで、メインビーム、先行及び後行サブビームの３ビームを同一信号トラック上に一列に配置させてトラッキングエラー信号が生成されるようにした一列配置の差動プッシュプル法が知られている（例えば、特許文献３参照）。
【００１１】
この一列配置の差動プッシュプル法は、回折格子にレーザ光源から出射されるレーザー光の所定の一部に±１次回折光の先行及び後行サブビームに対してπラジアンの位相シフトを発生させる位相シフト領域を設け、先行及び後行サブビームに対応する光検出器の各受光部における各受光スポットの前記位相シフト領域を通過した領域の干渉パターンの明暗が反転する。そして、３ビームを同一信号トラック上に一列に配置させてメインビームがオントラック状態にあるとき、光検出器の各受光部における２分割の各受光領域で明暗が等分され、２分割の各受光領域により得られる受光出力強度が同じになり、各プッシュプル信号が０となる。このことを利用して３ビームを同一信号トラック上に一列に配置させてもメインビームがオントラック状態からトラッキング方向にシフトすると、そのシフト分が前記各受光スポットの光量分布変化として現れ、従来どおりの差動プッシュプル法のトラッキングエラー信号生成が可能となる。
【００１２】
また、前記位相シフト領域が、π／２ラジアンの位相シフトを付与するように構成される場合であってもサブビームに付与されるπ／２ラジアンの位相シフトが光検出上に現れ、このサブビームの位相シフトが記録ディスクに形成される溝での回折による位相シフト（略π／２ラジアン）と合成され、これにより光検出器に受光される反射光の先行及び後行サブビームに対してπラジアンの位相シフトを発生させ、３ビームを同一信号トラック上に一列に配置させてメインビームがオントラック状態にあるとき、光検出器の各受光部における２分割の各受光領域により得られる受光出力強度を同じとし、各プッシュプル信号を０とすることが可能である。その為、３ビームを同一信号トラック上に一列に配置させてもメインビームがオントラック状態からトラッキング方向にシフトした変位に対応して光検出上の各受光スポットの光量分布が変化し、従来どおりの差動プッシュプル法のトラッキングエラー信号生成が可能となる。
【００１３】
この一列配置の差動プッシュプル法は、３ビームを同一信号トラック上に配置すれば良いので、信号トラックピッチに無関係にトラッキングエラー信号の振幅を確保でき、信号トラックのピッチが０．７４μｍのＤＶＤ−Ｒ／ＲＷとランドトラックのピッチ及びグルーブトラックのピッチが１．２３μｍのＤＶＤ−ＲＡＭ（記録容量４．７ＧＢ）との両記録方式に対応させることが可能である。
【特許文献１】特公平４−３４２１２号公報
【特許文献２】特開２００３−１７３５３２号公報
【特許文献３】特開平９−８１９４２号公報
【発明の開示】
【発明が解決しようとする課題】
【００１４】
従来、光ディスク記録装置において、ランニングＯＰＣを採用する場合、組み合わせるトラッキング制御方式として前述の一列配置の差動プッシュプル法を採用する選択が存在しなかったが、この一列配置の差動プッシュプル法を選択すると、メインビームがオントラックされる信号トラックと同一トラックに後行サブビームがオントラックされることになり、トラッキングエラー信号生成に好適な３ビーム配置がランニングＯＰＣにも好適であり、効率的である。
【００１５】
ただし、光検出器の後行サブビームを受光する後行サブ受光部からの受光出力によりＲＦ信号を検出しようした場合、メインビーム、先行及び後行サブビームがオントラック状態からトラッキング方向にシフトすると、差動プッシュプル法の原理に基づいて信号トラックの溝回折による影響で後行サブ受光部の２分割された各受光領域の受光強度バランスが不均衡になり、すなわち一方の受光領域の受光強度が増加すると共に、もう一方の受光領域の受光強度が低下することになるので、前記後行サブ受光部の２分割された受光領域の一方のみからの受光出力を用いてＲＦ信号を検出すると、受光出力の変動が大きくＲＦ信号を検出するの好ましくない。
【００１６】
その為、本発明はこの点の考慮して一列配置の差動プッシュプル法を組み合わせてランニングＯＰＣを採用する光ディスク記録装置の光学ヘッド発光出力制御方法を提供することを課題とする。
【課題を解決するための手段】
【００１７】
本発明に係る光ディスク記録装置の光学ヘッド発光出力制御方法は、レーザー光源から出射されるレーザー光を回折すると共に、この回折により形成される先行及び後行サブビームの所定の一部にπ／２ラジアンの整数倍の位相シフトを発生させる位相シフト領域を備える回折格子と、この回折格子により回折されて形成された３ビームのディスクからの各反射光ビームをそれぞれ受光すると共に、ディスクの信号トラックの投影方向に少なくとも２分割される各受光部を備える光検出器とを光学ヘッドに設け、前記３ビームをディスクの同一信号トラック上に一列に配置した状態で光検出器の３ビームにそれぞれ対応する各受光部の各受光領域からの各受光出力を用いて差動プッシュプル法に基づくトラッキングエラー信号が生成可能なトラッキング制御方式に対応させると共に、後行サブビームをメインビームがオントラックされる信号トラックと同一トラックにオントラックさせ、前記後行サブビームの反射光ビームを受光する受光部から出力される受光出力によりディスクに記録されるデータ信号を検出するようにしている。
【発明の効果】
【００１８】
本発明に依れば、ランニングＯＰＣを実行させるのに、トラッキング制御方式として３ビームを一列に配置する差動プッシュプル法を採用するようにしているので、トラッキングエラー信号の品質を全く犠牲にせずに、後行サブビームをメインビームがオントラックされる信号トラックと同一トラックにオントラックさせることが出来、後行サブビームに対応する光検出器の後行サブ受光部からの受光出力によりディスクに記録されるデータ信号を高品質で検出出来、このデータ信号を用いて検出される記録状態に応じて光学ヘッドの発光出力を制御する光ディスク記録装置の光学ヘッド発光出力制御方法が提供できる。
【００１９】
また、後行サブ受光部の２分割された各受光領域の各受光出力を合算してディスクに記録されるデータ信号を検出しているので、信号トラックの溝回折による影響で後行サブ受光部の２分割された各受光領域の受光強度バランスが不均衡となることに影響されずにデ
ータ信号を検出することができる。
【００２０】
この場合、マルチパルス波形の駆動パルスによりレーザードライバが駆動されてディスクへの記録が行われるディスク記録時において、記録レベル及び再生レベルのどちらか一方の期間に対応する後行サブ受光部からの合算受光出力をサンプルしてデータ信号を検出しているので、データ信号の検出にマルチパルス波形によるレベル変動の影響がなく、高精度にデータ信号の検出が行える。
【実施例】
【００２１】
図１は本発明に係る光ディスク記録装置の光学ヘッド発光出力制御方法を実現する一実施例を示す回路図、図２は光学ヘッドの一例を示す光学配置図、図３は光学ヘッドから出射される各光ビームのディスク上での照射位置を説明する説明図である。
【００２２】
図２に示す光学ヘッドにおいて、レーザーダイオード１から出射されるレーザー光は、回折格子２により回折されて０次回折光のメインビーム及び±１次回折光の先行及び後行の各サブビームの３ビームに成された後、ビームスプリッタ３を透過し、コリメータレンズ４により平行光に変換されて対物レンズ５に入射される。この対物レンズ５に入射されるレーザー光は、対物レンズ５により収束されてディスク６の信号層上に照射される。尚、メインビームとなる０次回折光によりデータ信号の書き込み及び読み取りが行われる。
【００２３】
ディスク６の信号層上に照射されたレーザー光は反射され、対物レンズ５及びコリメータレンズ４を介してビームスプリッタ３に戻され、ビームスプリッタ３により反射されてセンサーレンズ７を介して光検出器８に受光される。
【００２４】
ところで、回折格子２は０次回折光以外の回折光にπ／２ラジアンの整数倍の位相シフトを発生させる位相シフト領域が所定の一部に設けられており、回折格子２により回折されて形成された３ビームは、図３に示す如く、レーザー光の０次回折光のメインビームと±１次回折光の先行及び後行の各サブビームとが同一トラックｎ上に並んで配置されるようにディスク６に照射される。
【００２５】
図３において、先行及び後行の各サブビームがそれぞれディスクに照射されて形成される先行サブスポットＳｓ１及び後行サブスポットＳｓ２は、後述の回折格子２に形成される位相シフト領域のためにそれぞれ信号トラックと直交する方向に２つ並んで形成され、メインビームがディスクに照射されて形成されるメインスポットＳｍを信号トラック方向に挟んで配置される。この場合、回折格子２は、従来の一例として挙げたものと同様に、図４に示す如く、信号トラック方向に平行に２分割されて一方の基準領域２ａに対して格子の溝の位置をπラジアンずらして位相シフト領域２ｂが形成され、この位相シフト領域２ｂによりπ／２ラジアンの２倍のπラジアンの位相シフトを先行及び後行の各サブビームに発生させるようにしている。
【００２６】
これにより３ビームを同一信号トラック上に一列に配置させてもメインビームがオントラック状態にあるとき、光検出器８の各受光部における２分割の各受光領域により得られる受光出力強度を同等とし、各受光部における各プッシュプル信号を０とすることを可能としている。その為、３ビームを同一信号トラック上に一列に配置させてもメインビームがオントラック状態からトラッキング方向にシフトすると、そのシフト分に対応して記録ディスクの信号トラックの溝による回折が３ビームの各反射光ビームの光量分布変化として現れ、差動プッシュプル法のトラッキングエラー信号生成が可能となる。
【００２７】
尚、位相シフト領域２ｂは回折格子２のレーザー光が通過される所定の一部にπ／２ラジアンの整数倍の位相シフトを発生されるようになっていれば良く、また、位相シフト領
域２ｂの形態に関しても図４に示す形態に限定されるものではなく、オントラック状態時に光検出器８の各受光部における２分割の各受光領域により得られる受光出力強度が同等となるように設定されれば良い。このようにすると、３ビームを同一信号トラック上に一列に配置させた状態でメインビームがオントラック状態からトラッキング方向にシフトすると、そのシフト分に対応して記録ディスクの信号トラックの溝による回折が３ビームの各反射光ビームの光量分布変化として現れ、差動プッシュプル法のトラッキングエラー信号生成が可能である。
【００２８】
次に、図１に示す回路図を用いて差動プッシュプル方式に対応するトラッキングエラー信号生成方法について説明する。
【００２９】
ディスクにより反射されたメインビーム、先行サブビーム及び後行サブビームは、それぞれ光検出器のメイン受光部Ａ、先行サブ受光部Ｂ及び後行サブ受光部Ｃに受光される。メイン受光部Ａ、先行サブ受光部Ｂ及び後行サブ受光部Ｃは、ディスクの信号トラックの投影方向に対応する分割線により少なくともそれぞれ２分割の受光領域により構成されており、その分割された前記メイン受光部Ａ、先行サブ受光部Ｂ及び後行サブ受光部Ｃの各受光領域はそれぞれ受光量に対応した受光出力を発生する。
【００３０】
尚、フォーカス制御に非点収差法を使用する場合においては、少なくともメイン受光部Ａを十字状に４分割するが、フォーカスエラー信号の生成に関しては要旨に関係しないので、説明を簡単にするため、メイン受光部Ａを２分割で示している。
【００３１】
光検出器のメイン受光部Ａの各受光領域はそれぞれ受光出力ａ１及びａ２を発生し、先行サブ受光部Ｂの各受光領域はそれぞれ受光出力ｂ１及びｂ２を発生し、後行サブ受光部Ｃ の各受光領域はそれぞれ受光出力ｃ１及びｃ２を発生する。
【００３２】
メイン受光部Ａの各受光領域からそれぞれ発生される受光出力ａ１及びａ２は第１差動アンプ１１によりその受光出力ａ１及びａ２の差分出力であるメインプッシュプル信号（ａ１−ａ２）が得られ、先行サブ受光部Ｂの各受光領域からそれぞれ発生される受光出力ｂ１及びｂ２は第２差動アンプ１２によりその受光出力ｂ１及びｂ２の差分出力である先行サブプッシュプル信号（ｂ１−ｂ２）が得られ、後行サブ受光部Ｃの各受光領域からそれぞれ発生される受光出力ｃ１及びｃ２は第３差動アンプ１３によりその受光出力ｃ１及びｃ２の差分出力である後行サブプッシュプル信号（ｃ１−ｃ２）が得られる。
【００３３】
第２差動アンプ１２から出力される先行サブプッシュプル信号（ｂ１−ｂ２）と第３差動アンプ１３から出力される後行サブプッシュプル信号（ｃ１−ｃ２）とは、加算アンプ１４により加算されて加算サブプッシュプル信号（（ｂ１−ｂ２）＋（ｃ１−ｃ２））が生成される。その後、この加算サブプッシュプル信号はメインプッシュプル信号と同等の信号レベルに調整されるべく可変利得アンプ１５によるゲインＧ１によりレベル調整されて、このレベル調整された後の加算サブプッシュプル信号（Ｇ１×[（ｂ１−ｂ２）＋（ｃ１−ｃ２）]）とメインプッシュプル信号（ａ１−ａ２）との差分を第４差動アンプ１６により演算して差動プッシュプル法に基づくトラッキングエラー信号（（ａ１−ａ２）−Ｇ１×[（ｂ１−ｂ２）＋（ｃ１−ｃ２）]）が生成される。
【００３４】
ここで、前述したように、メインスポットＳｍがディスクの信号トラックｎにオントラックされる状態において、先行サブスポットＳｓ１及び後行サブスポットＳｓ２もメインスポットＳｍがオントラックされる同一信号トラックｎ上に一列にオントラックされている。先行サブスポットＳｓ１及び後行サブスポットＳｓ２にはそれぞれπラジアンの位相シフトが付与されている領域が存在し、そして、メインスポットＳｍ、先行サブスポットＳｓ１及び後行サブスポットＳｓ２をそれぞれ受光する光検出器の各受光部の２分割の各
受光領域からそれぞれ生成されるプッシュプル信号には記録ディスクの信号トラックの溝回折によりメインビームのトラッキング制御に関わる信号成分が含まれる。
【００３５】
したがって、第４差動アンプ１６により出力されるトラッキングエラー信号（（ａ１−ａ２）−Ｇ１×[（ｂ１−ｂ２）＋（ｃ１−ｃ２）]）は、メインビームとディスクの信号トラックｎとのズレ量及びズレ方向に応じてそれぞれ出力レベル及び極性が変化するトラッキング誤差に対応した差動プッシュプル法に基づくトラッキングエラー信号（ＴＥ信号）となる。
【００３６】
ところで、後行サブスポットＳｓ２が受光される光検出器の後行サブ受光部Ｃの各受光領域から出力される各受光出力ｃ１及びｃ２は加算アンプ１７により加算され、該加算アンプ１７は加算出力（ｃ１+ｃ２）を生成する。この加算出力（ｃ１+ｃ２）は後行サブスポットＳｓ２全体の受光強度に対応し、この後行サブスポットＳｓ２はメインスポットＳｍがオントラックされる同一信号トラックｎ上にオントラックされると共に、メインスポットＳｍにより走査される信号トラックの位置より時間的に後行される位置にある。その為、ディスクの記録時においてメインスポットＳｍにより記録されるデータ信号に基づく受光強度変化が後行サブ受光部Ｃの各受光領域からの受光出力ｃ１及びｃ２に現れ、加算アンプ１７から出力される加算出力（ｃ１+ｃ２）はメインスポットＳｍにより記録されるデータ信号に基づくＲＦ信号である。
【００３７】
この場合、後行サブ受光部Ｃの一方の受光領域から出力される受光出力ｃ１あるいはｃ２であってもメインスポットＳｍにより記録されるデータ信号に基づくＲＦ信号は得られるが、記録ディスク上の３ビームがオントラック状態からトラッキング方向にシフトし、差動プッシュプル法の原理に基づいて信号トラックの溝回折による影響で後行サブ受光部Ｃの２分割された各受光領域の受光強度バランスが不均衡になると、受光出力ｃ１あるいはｃ２の変動がそのままＲＦ信号の変動となるので、受光出力ｃ１及びｃ２を加算して、各受光出力ｃ１及びｃ２の変動が打ち消し合うようにした加算出力（ｃ１+ｃ２）によりＲＦ信号を得るほうが好ましい。
【００３８】
尚、ディスクを再生する際にディスクから読み出されるＲＦ信号は、メイン受光部Ａの各受光領域からそれぞれ発生される受光出力ａ１及びａ２を加算アンプ３０により加算して加算出力（ａ１+ａ２）を得て生成される。
【００３９】
ところで、記録ディスクのプログラムエリアへの実記録時において、エンコーダ１８は記録ディスクの規格のデータフォーマットに基づくエンコード処理を入力される生データに施し、そのデータフォーマットに則ったデータ構造の記録データを生成する。この生成された記録データはライトストラテジ回路１９にシリアルに転送され、このライトストラテジ回路１９は最適な記録マークをディスクに形成させるためのマルチパルス波形の駆動パルスを記録データに基づいて生成する。
【００４０】
レーザードライバ２０はライトストラテジ回路１９から出力される駆動パルスを電流信号に変換して光学ヘッドのレーザーダイオード１を駆動し、このレーザーダイオード１を駆動する駆動パルスには重畳用ＯＳＣ（oscillator）２１から発生される高周波信号が重畳される。
【００４１】
ところで、ライトストラテジ回路１９は、β値検出回路２２により検出されるβ値（記録の深さ）に対応して生成する駆動パルスの電圧レベル及びマルチパルス波形を変化させ、レーザーダイオード１を駆動する駆動パルスによりレーザーダイオード１から出射されるメインビームが最適な記録パワーとなるように設定される。
【００４２】
β値検出回路２２には、加算アンプ１７から出力される加算出力（ｃ１+ｃ２）のＲＦ信号をサンプルホールド回路２３によりサンプル・ホールドした信号が供給され、該サンプルホールド回路２３はライトストラテジ回路１９から発生される駆動パルスに応じてサンプル期間及びホールド期間が設定される。前記駆動パルスは記録レベル及び再生レベルを組み合わせたマルチパルス波形となっており、サンプルホールド回路２３は駆動パルスの記録レベル時にＲＦ信号をサンプルし、そのサンプルした信号電圧レベルをβ値検出回路２２に取り込まれる期間ホールドするように動作する。
【００４３】
その為、β値検出回路２２は、前記サンプルホールド回路２３から出力されるサンプルした信号電圧レベルを計測してＲＦ信号のピークレベルＡ及びボトムレベルＢを検出し、β値＝（Ａ−Ｂ）／（Ａ＋Ｂ）を演算するべく信号処理を行ってβ値を検出する。
【００４４】
ここで、β値検出回路２２は、メインビームより時間的に後方の後行サブビームによって読み取られるＲＦ信号を用いてβ値を検出しており、ライトストラテジ回路１９はこの検出されたβ値に基づいてレーザーダイオード１から出射されるメインビームが最適な記録パワーとなるようにレーザードライバ２０から発生される駆動パルスを制御するので、メインビームによって直前にディスクに記録された記録データの記録状態に基づいてレーザーダイオード１の発光出力がディスク記録に最適な記録パワーに制御され、ランニングＯＰＣが達成される。
【００４５】
この場合、サブビームの光量は回折格子２の回折効率に因るがメインビームの光量の例えば１／１０程度となるが、サンプルホールド回路２３によりＲＦ信号をサンプルする期間を駆動パルスの記録レベル時にしているので、ＲＦ信号レベルの大きい期間にサンプルホールド回路２３によりＲＦ信号がサンプルされ、サンプルする信号のＳ／Ｎの点で有利となる。
【００４６】
また、後行サブ受光部Ｃの２分割された各受光領域の受光出力ｃ１及びｃ２を加算した加算出力（ｃ１+ｃ２）によりＲＦ信号を得るようになっているので、記録ディスク上の３ビームがオントラック状態からトラッキング方向にシフトした場合に各受光領域の受光強度バランスが不均衡になることに起因する各受光出力ｃ１及びｃ２の変動が打ち消されると共に、ＲＦ信号のＳ／Ｎの点で有利ある。
【図面の簡単な説明】
【００４７】
【図１】本発明に係る光ディスク記録装置の光学ヘッド発光出力制御方法を実現する一実施例を示す回路図である。
【図２】光学ヘッドの一例を示す光学配置図である。
【図３】光学ヘッドから出射される各光ビームのディスク上での照射位置を説明する説明図である。
【図４】回折格子２の構成を説明する説明図である。
【符号の説明】
【００４８】
１        レーザーダイオード
２        回折格子
５        対物レンズ
８        光検出器
１１，１２，１３，１６        差動アンプ
１４        加算アンプ
１５        可変利得アンプ
１７        後行サブビーム用加算アンプ
１８        除算回路
１９        ライトストラテジ回路
２０        レーザードライバ
２２        β値検出回路
２３        サンプルホールド回路
【図１】
2006236531.tif 000003
【図２】
2006236531.tif 000004
【図３】
2006236531.tif 000005
【図４】
2006236531.tif 000006